(57)【要約】【課題】高速ダウンリンクパケットアクセス（ＨＳＤＰＡ）方式における伝送方法及び受信装置に関し、受信データの復元処理に使用されるＶｉｒｔｕａｌ  ＩＲバッファのメモリ領域を増やすことなく、受信特性の良いカテゴリの通信を行う。【解決手段】受信装置のＩＲバッファ５−２は、第２レートデマッチング部５−３から入力される受信データに対して、再送データとの合成処理対象か否かを判定し、スイッチ部５−２２により、合成処理対象の場合はバッファメモリ５−２１に送り、合成処理対象でない場合は直接次段の第１レートデマッチング部５−１に送り出す。バッファメモリ・合成処理制御部５−２３は、スイッチ部及びバッファメモリを制御し、ＩＲバッファからはみ出すプロセス番号の受信データは合成しない、或いはＩＲバッファサイズからはみ出すプロセス番号を決め打ちせず、ＣＲＣ誤りを検出した受信データのみを合成するよう制御する。【選択図】図５
2007124485.tif 000002
【特許請求の範囲】
【請求項１】
予め伝送形式としてカテゴライズされた複数種類のカテゴリのうちから、何れのカテゴリで伝送するかを送信側と受信側とでネゴシエーションを行った後に、誤り検出訂正符号を含むデータをプロセス番号順に送信し、受信側で該データの誤り検出結果を送信側に送信し、送信側は該誤り検出結果が不良の場合に該データを再送し、受信側は先に受信した新規データと後に受信した再送データとを合成処理した後、復号処理を行う伝送方法において、
新規データの受信から再送データが受信されるまで受信データを保持するバッファメモリのサイズのみが他のカテゴリのものより小さく、最大伝送レートを含む他の項目が同一であるカテゴリの伝送形式で伝送する際に、新規データの送信時から再送データの送信時までの期間に伝送可能な前記プロセス番号順のデータのうち、その一部のプロセス番号のデータを省いて伝送することを特徴とする高速ダウンリンクパケットアクセス方式における伝送方法。
【請求項２】
予め伝送形式としてカテゴライズされた複数種類のカテゴリのうちの一つの伝送形式で送信された誤り検出訂正符号を含むデータを受信し、該データの誤り検出結果を送信側に送信し、該誤り検出結果が不良の場合に再送されるデータを受信し、先に受信した新規データと後に受信した再送データとを合成処理した後、復号処理を行う受信装置において、
新規データの受信時から再送データの受信時までの期間にプロセス番号順に受信される受信データに対して、該受信データのプロセス番号を判別するプロセス番号判別手段と、
前記プロセス番号判別手段で判別されたプロセス番号が予め定められた特定のプロセス番号で有る場合に、該プロセス番号のデータをバッファメモリに保持することなく復号処理部へ出力し、かつ、前記特定のプロセス番号の受信データが新規データか再送データかを判定し、再送データである場合に新規データとして読み変えて合成処理を行うことなく前記復号処理部へ出力する手段と、
を備えたことを特徴とする高速ダウンリンクパケットアクセス方式における受信装置。
【請求項３】
前記特定のプロセス番号の受信データに対して、復号処理の後にデータ誤りを検出したときに、送信側に対して、前記データの誤り検出結果を送信することなく、無応答とする再送制御手段を備えたことを特徴とする請求項２に記載の高速ダウンリンクパケットアクセス方式における受信装置。
【請求項４】
予め伝送形式としてカテゴライズされた複数種類のカテゴリのうちの一つの伝送形式で送信された誤り検出訂正符号を含むデータを受信し、該データの誤り検出結果を送信側に送信し、該誤り検出結果が不良の場合に再送されるデータを受信し、先に受信した新規データと後に受信した再送データとを合成処理した後、復号処理を行う受信装置において、
受信データをバッファメモリの空き領域に一旦格納する手段と、
該バッファメモリに格納された受信データを復号した後にデータの誤りチェックを行い、該誤りチェックの結果が誤り無しの場合、該受信データをバッファメモリから消去して該受信データの格納領域を空き状態にし、該誤りチェックの結果が誤り有りの場合、該受信データをバッファメモリに保持しておくバッファメモリ書き込み制御手段と、
を備えたことを特徴とする高速ダウンリンクパケットアクセス方式における受信装置。
【発明の詳細な説明】
【技術分野】
【０００１】
本発明は、高速ダウンリンクパケットアクセス方式における伝送方法及び受信装置に関し、特に、第３世代（３Ｇ）携帯電話方式Ｗ−ＣＤＭＡのデータ通信を更に高速化したパケット通信を実現する高速ダウンリンクパケットアクセス（ＨＳＤＰＡ：High Speed Downlink Packet Access；以下ＨＳＤＰＡという）方式の規格に準拠した通信方式における伝送方法及びその受信装置に関する。
【背景技術】
【０００２】
ＨＳＤＰＡ通信システムにおいて、複合自動再送要求（Ｈ−ＡＲＱ：Hybrid-Automatic Repeat Request）処理が第３世代移動体通信システムの標準化プロジェクト（３ＧＰＰ：3rdGeneration Partnership Project）の規格で定義されている。以下、複合自動再送要求（Ｈ−ＡＲＱ）について説明する。
【０００３】
図６に示すように、ＨＳＤＰＡ通信システムは、基地局（ＢＴＳ）において、送信するデータにＣＲＣ付加部６−１により巡回冗長検査（ＣＲＣ：Cyclic Redundancy Check）符号を付加し、ターボ符号部６−２によりターボ符号化処理を行い、第１レートマッチング部６−３により、トランスポートチャネルに伝送レート又は品質に応じたビット割り当てを行うためのレートマッチング処理を行い、Ｖｉｒｔｕａｌ  ＩＲ（Increment Redundancy）バッファ６−４にそれらのデータを格納した後、第２レートマッチング部６−５により２回目のレートマッチング処理を行い、物理チャネルマッピング部６−６により、トランスポートチャネルのＨＳ−ＤＳＣＨ（High Speed-Dedicated Shared Channel）データを物理チャネルマッピングし、移動機（ＭＳ）に向けて送信する。
【０００４】
移動機（ＭＳ）は、基地局（ＢＴＳ）から送信されてくる無線信号から物理チャネル分離部６−７によりＨＳ−ＤＳＣＨデータを分離し、第２レートデマッチング部６−８により、基地局（ＢＴＳ）で第２レートマッチングされたデータの再生処理を施した後、一旦、Ｖｉｒｔｕａｌ  ＩＲバッファ６−９に受信データを保持する。
【０００５】
Ｖｉｒｔｕａｌ  ＩＲバッファ６−９では、受信データが再送データで有る場合は、先に受信し保持されている同一プロセス番号のデータと合成し、受信データが新規データである場合は、合成することなくそのまま受信データを出力する。
【０００６】
その後、第１レートデマッチング部６−１０により、基地局（ＢＴＳ）で第１レートマッチングされたデータの再生処理を施し、ターボ復号部６−１１によりターボ復号化処理を行い、ＣＲＣチェック部６−１２で巡回冗長検査（ＣＲＣ）符合のチェックを行い、チェック結果が良（ＯＫ）であれば、肯定応答（ＡＣＫ）を基地局（ＢＴＳ）に送信する。
【０００７】
しかし、上記の巡回冗長検査（ＣＲＣ）符合のチェック結果が不良（ＮＧ）であれば、否定応答（ＮＡＣＫ）を基地局（ＢＴＳ）に送信し、その後、基地局（ＢＴＳ）からレートマッチングパターンを変更したデータが再送され、先にＶｉｒｔｕａｌ  ＩＲバッファ６−９に保持してあるデータと再送データとを合成してターボ復号化処理を行う。これが複合自動再送要求（Ｈ−ＡＲＱ）処理である。
【０００８】
なお、最初のデータ受信時から、巡回冗長検査（ＣＲＣ）符合チェックの不良（ＮＧ）を検出して否定応答（ＮＡＣＫ）を基地局（ＢＴＳ）に送信し、基地局（ＢＴＳ）から再送データが受信されるまで、最短で伝送時間間隔（ＴＴＩ：Transmission Time Interval；１ＴＴＩ＝２ｍｓ）６個分の期間を要する。
【０００９】
従って、移動機（ＭＳ）は巡回冗長検査（ＣＲＣ）符合チェックの不良（ＮＧ）の検出時、６個分の伝送時間間隔（ＴＴＩ）未満の期間内に再送データを合成してはいけない。そのため、データ合成処理のためのプロセス番号（０，１，…，７：最大８）が定義されていて、該プロセス番号は、処理の時間順に６個の伝送時間間隔（ＴＴＩ）の期間で一巡するように付与し、それによって同一のプロセス番号のデータを合成するようにする。
【００１０】
プロセス番号と合成可能／不可の期間との関係を図７に示す。同図に示すように、例えば、プロセス番号０のデータは、６個の伝送時間間隔（ＴＴＩ）後に受信される同一プロセス番号０の再送データと合成され、同様に、次のプロセス番号１のデータは、６個の伝送時間間隔（ＴＴＩ）後に受信される同一プロセス番号１の再送データと合成される。
【００１１】
上記のプロセス番号、データが再送データか新規データかを示すインジケータ、及びレートデマッチングを行なう際に必要なレートマッチングパターンは、ＨＳ−ＳＣＣＨ（High Speed-Shared Control Channel）データ中に格納されている。ＨＳＤＰＡ方式における基地局（ＢＴＳ）と移動機（ＭＳ）との間のダウンリンク（ＢＴＳ→ＭＳ）及びアップリンク（ＭＳ→ＢＴＳ）で送受されるデータの概要を図８に示す。
【００１２】
ＨＳ−ＳＣＣＨは、ＨＳ−ＰＤＳＣＨ（High Speed-Physical Dedicated Shared Channel）のレイヤ１情報を示し、移動機（ＭＳ）は指定されたＨＳ−ＳＣＣＨの４本（ＨＳ−ＳＣＣＨ−１，２，３，４）のデータを常時受信し、ユーザイクィップメント識別子（ＵＥ−ＩＤ）を使用してそのうちの１本を選択し、そのデータを受信する。
【００１３】
図８に示すＨＳ−ＳＣＣＨのデータ（ａ）は、ＨＳ−ＰＤＳＣＨデータを復調するための情報（コード多重数、変調方式等）であり、データ（ｂ）はＨＳ−ＤＳＣＨ（High Speed-Dedicated Shared Channel）を復号するための情報（プロセス番号、再送データ／新規データのインジケータ、レートマッチング情報等）である。
【００１４】
ＨＳ−ＳＣＣＨに格納された上述のプロセス番号等のデータ（ｂ）は、図８に示すように、ＨＳ−ＰＤＳＣＨの受信の１スロット前から受信が開始される。そして移動機（ＭＳ）は、上記データ（ａ）の情報により指定されたｎ本（最大１５）のＨＳ−ＰＤＳＣＨデータを受信する。ＨＳ−ＰＤＳＣＨのデータ（ｃ）は、ユーザデータのみである。以上が、基地局（ＢＴＳ）から移動機（ＭＳ）方向に伝送されるダウンリンクのデータである。
【００１５】
一方、移動機（ＭＳ）から基地局（ＢＴＳ）方向に伝送されるアップリンクのデータは、ＨＳ−ＤＰＣＣＨ（High Speed-Dedicated Physical Control Channel）のデータ（ｄ）により、前述の巡回冗長検査（ＣＲＣ）符号チェック結果の良否を示す肯定／否定応答（Ａｃｋ／Ｎａｃｋ）を送信し、また、ＨＳ−ＤＰＣＣＨのデータ（ｅ）により、チャネル品質指標（ＣＱＩ：Channel Quality Indicator）を送信する。
【００１６】
ここでＨＳＤＰＡ方式におけるカテゴリについて説明する。ＨＳＤＰＡ方式には、伝送形式をカテゴライズした１２種類のカテゴリが存在する。該１２種類のカテゴリを図９の一覧表に示す。各カテゴリ１〜１２は、使用可能な変調方式、使用可能なコード多重数、各伝送時間間隔（ＴＴＩ）間の最小間隔（Minimum-inter TTI interval）、最大トランスポートブロック（ＴｒＢＬＫ）サイズ、及びＶｉｒｔｕａｌ  ＩＲバッファサイズがそれぞれカテゴライズされ、カテゴリの相違によって最大伝送レート（最大トランスポートブロックサイズ／２ｍｓ）が異なる。
【００１７】
なお、上記の伝送時間間隔（ＴＴＩ）間の最小間隔（Minimum-inter TTI interval）は、１伝送時間間隔（ＴＴＩ）毎に連続してデータ送信可能であれば“１”、２伝送時間間隔（ＴＴＩ）毎に１伝送時間間隔（ＴＴＩ）のデータが送信可能であれば“２”、３伝送時間間隔（ＴＴＩ）毎に１伝送時間間隔（ＴＴＩ）のデータが送信可能であれば“３”として表される。
【００１８】
ここで、カテゴリ１と２、カテゴリ３と４、カテゴリ５と６及びカテゴリ７と８とで、それぞれの項目を比較すると、Ｖｉｒｔｕａｌ  ＩＲバッファ（以下ＩＲバッファという）のサイズのみが異なり、他の項目は同一である。このことは、最大伝送レート自体は変わらないが、後述するように、ＩＲバッファのサイズの違いにより、再送時のデータ合成後の特性が異なり、ＩＲバッファサイズの大きいカテゴリの方が、巡回冗長検査（ＣＲＣ）符号のチェック結果が良（ＯＫ）となる確率が高くなる。例えば、カテゴリ５とカテゴリ６とでは、最大伝送レートは共に３．６４９Ｍｂｐｓで同一であるが、ＩＲバッファサイズはカテゴリ６の方が大きく、その分、再送データとの合成によりデータが良好に受信される確率が高くなる。
【００１９】
ここで、カテゴリ５とカテゴリ６を例に挙げて受信特性の違いについて説明する。レートデマッチングは、（情報ビット長）／（レートデマッチング部への入力ビット長）の値が小さいほど（送信側で沢山レペティションされるほど）、ビット当たりでの電力比率が高くなり、受信側で復号した際により良い特性が得られる。即ち、（情報ビット長）／（レートマッチングの後ビット長）の値（＝コーディングレートの値）が小さいほど、符号化利得が高く、特性が良い。
【００２０】
図１０にレートマッチング／デマッチングによるデータのビット長の変化の例を示す。同図の（ａ）はカテゴリ６の場合を示し、同図の（ｂ）はカテゴリ５の場合を示している。同図に示すように、情報ビット長は何れのカテゴリでも７２９８ビットである。この情報ビットに対して、カテゴリ６では１１２００ビット、カテゴリ５では９６００ビットの符号に変換するレートマッチングが行なわれ送信される。
【００２１】
受信側では、カテゴリ６では１１２００ビット、カテゴリ５では９６００ビットのデータを受信し、それぞれレートデマッチングを行なって、７２９８ビットの情報ビットを復号化する。カテゴリ６では、コーディングレートは７２９８／１１２００＝０．６５である。一方、カテゴリ５では、コーディングレートは７２９８／９６００＝０．７６である。即ち、カテゴリ６の方が、コーディングレートの値が小さく、受信特性は良いものとなる。
【００２２】
このような特性をふまえて、ＨＳＤＰＡ方式のレートデマッチングを行う構成を考察する。ＨＳＤＰＡ方式のレートデマッチングは、第１レートデマッチングと第２レートデマッチングの２段階のレートデマッチングを行う構成となる。第１レートデマッチング部と第２レートデマッチング部との間に、Ｖｉｒｔｕａｌ  ＩＲバッファが備えられ、ＨＳＤＰＡ方式のカテゴリによりＶｉｒｔｕａｌ  ＩＲバッファのサイズが異なるものとなる。
【００２３】
図１１に、レートデマッチングを行う構成の機能ブロックを示す。同図において、１０−１はビットコレクション部、１０−２は第２レートデマッチング部、１０−３はＶｉｒｔｕａｌ  ＩＲバッファ、１０−４は第１レートデマッチング部、１０−５はターボ復号部である。また、Ｎｓｙｓは組織ビットで元のデータそのものを表し、Ｎｐ１は畳み込み符号化されたデータ（パリティ１ビット）、Ｎｐ２は畳み込み符号化及びインタリーブされたデータ（パリティ２ビット）を表す。
【００２４】
カテゴリ５とカテゴリ６とで異なるのは、Ｖｉｒｔｕａｌ  ＩＲバッファのサイズのみであり、同量の情報ビットを受信する場合は、Ｖｉｒｔｕａｌ  ＩＲバッファのサイズが大きいほど、第１レートデマッチングにおけるコーディングレートが小さくなり（符号化利得が高くなり）、特性が良くなる。
【００２５】
カテゴリ５とカテゴリ６のＶｉｒｔｕａｌ  ＩＲバッファのサイズ５７６００，６７２００を、プロセス数＝６で除算すると、１プロセス当たりのＶｉｒｔｕａｌ  ＩＲバッファのサイズは、それぞれ９６００ビット及び１１２００ビットとなる。一方、物理チャネルの最大ビット長は、１９２０ビット（１６ＱＡＭ）×５（コード多重）＝９６００ビットとなる。
【００２６】
新規データ送信時は、図１２の（ａ）に示すように、斜線部分の組織ビット優先のデータが送信され、該データで９６００ビット分の送信になるので、カテゴリ５とカテゴリ６の両者とも、コーディングレートは、７２９８／９６００＝０．７６となり、特性は変わらない。
【００２７】
再送データ送信時は、カテゴリ５では物理チャネル最大サイズのデータ送信時、新規データ送信時と同一部分のデータのみを送信する（Chase Combine）。一方、カテゴリ６では図１２（ｂ）に示すように、物理チャネル最大サイズのデータ送信時、網目模様で表す組織ビット非優先（パリティビット優先）のデータを送信する。
【００２８】
即ち、カテゴリ６では、新規データ送信時に送信されなかったデータを含む９６００ビットの物理チャネルビット長の再送データとして送信され、移動機（ＭＳ）側のＶｉｒｔｕａｌ  ＩＲバッファでは、先に受信した新規データに加えて再送データを含む１１２００ビット分のデータをＶｉｒｔｕａｌ  ＩＲバッファ内に受領する。その場合、カテゴリ６では、コーディングレートは、７２９８／１１２００＝０．６５となり、カテゴリ５と比較して特性が良くなる。
【００２９】
新規データ送信時はカテゴリ５と６とで符号化利得の特性は同一であるが、再送データ送信時は、カテゴリ６の方が若干特性が良くなる。従って、カテゴリ６はカテゴリ５と比較して、最大伝送レートは変わらないが、再送データ送信回数が少なくなり、実使用環境下でのユーザデータ伝送レートが若干良くなることが期待される。同様な特性は、カテゴリ１と２、カテゴリ３と４及びカテゴリ７と８の間にも適用される。
【００３０】
本発明に関連する先行技術文献として、下記の特許文献１には、伝搬路誤りが生じたデータを再送するＡＲＱ方式を用いた送受信装置において、通信相手からの再送要求信号を受信する受信手段と、該受信手段が再送要求信号を受信した際、誤りの生じ易いビットのみを通信相手の無線局に再送信号として再送する送信手段とを具備し、実質的に再送の必要のあるビットのみを再送することになり、再送に要するビット数を削減し、誤り率を増加させずに再送効率を向上させた発明について記載されている。
【００３１】
また、下記の特許文献２には、複合再伝送方式（ＨＡＲＱ）を使用した高速データ伝送のためのデータ通信システムにおいて、初期伝送及び再伝送の時に使用されるリダンダンシーパターンを決定するための方法に関し、入力情報ビットを予め決定された符号化率で準補完ターボ符号（ＱＣＴＣ）によって符号化して符号語シンボルを発生し、データ伝送率によって決定されたサブパケットの長さで前記符号語シンボルを伝送するために、前記符号語シンボルの一部または全部に対応する予め決定されたパターンのうちいずれか１つのパターンを選択する過程と、データ伝送率、サブパケットの長さ及びパターンを所定の情報に予めマッピングしたテーブルからデータ伝送率、サブパケットの長さ及び選択されたパターンに対応する情報を読み取る過程と、該読み取られた情報及び選択されたパターンによって符号語シンボルを伝送する過程とを含む伝送処理率の改善のためのデータ通信システムの逆方向送信方法等について記載されている。
【特許文献１】特開２００３−１５２６９１号公報
【特許文献２】特表２００４−５３５１３７号公報
【発明の開示】
【発明が解決しようとする課題】
【００３２】
前述したように、ＨＳＤＰＡ方式におけるＨ−ＡＲＱ処理のＶｉｒｔｕａｌ  ＩＲバッファは、カテゴリ毎にバッファサイズが決められているが、Ｖｉｒｔｕａｌ  ＩＲバッファのサイズのみが異なるカテゴリ間では、最大伝送レートは同一であっても、受信データの復元（Ｈ−ＡＲＱ処理）に使用されるＶｉｒｔｕａｌ  ＩＲバッファのサイズの大きいカテゴリの方が、受信特性が良い。
【００３３】
しかし、より小さいバッファサイズで別カテゴリのＨ−ＡＲＱ処理を行うことにより、メモリサイズの低減が可能となる。本発明はこの点に着目し、同一メモリ容量のままで、１ランク特性の良いカテゴリで通信を行うことができるようにしたものである。即ち、本発明は、ＨＳＤＰＡ方式の規格に準拠した通信方式おいて、受信データの復元処理に使用されるＶｉｒｔｕａｌ  ＩＲバッファのメモリ領域を増やすことなく、受信特性の良いカテゴリの通信を行うことが可能な伝送方法及び受信装置を提供することを目的とする。
【課題を解決するための手段】
【００３４】
本発明の伝送方法は、（１）予め伝送形式としてカテゴライズされた複数種類のカテゴリのうちから、何れのカテゴリで伝送するかを送信側と受信側とでネゴシエーションを行った後に、誤り検出訂正符号を含むデータをプロセス番号順に送信し、受信側で該データの誤り検出結果を送信側に送信し、送信側は該誤り検出結果が不良の場合に該データを再送し、受信側は先に受信した新規データと後に受信した再送データとを合成処理した後、復号処理を行う高速ダウンリンクパケットアクセス方式の伝送方法において、新規データの受信から再送データが受信されるまで受信データを保持するバッファメモリのサイズのみが他のカテゴリのものより小さく、最大伝送レートを含む他の項目が同一であるカテゴリの伝送形式で伝送する際に、新規データの送信時から再送データの送信時までの期間に伝送可能な前記プロセス番号順のデータのうち、その一部のプロセス番号のデータを省いて伝送することを特徴とする。
【００３５】
また、本発明の受信装置は、（２）予め伝送形式としてカテゴライズされた複数種類のカテゴリのうちの一つの伝送形式で送信された誤り検出訂正符号を含むデータを受信し、該データの誤り検出結果を送信側に送信し、該誤り検出結果が不良の場合に再送されるデータを受信し、先に受信した新規データと後に受信した再送データとを合成処理した後、復号処理を行う高速ダウンリンクパケットアクセス方式の受信装置において、新規データの受信時から再送データの受信時までの期間にプロセス番号順に受信される受信データに対して、該受信データのプロセス番号を判別するプロセス番号判別手段と、前記プロセス番号判別手段で判別されたプロセス番号が予め定められた特定のプロセス番号で有る場合に、該プロセス番号のデータをバッファメモリに保持することなく復号処理部へ出力し、かつ、前記特定のプロセス番号の受信データが新規データか再送データかを判定し、再送データである場合に新規データとして読み変えて合成処理を行うことなく前記復号処理部へ出力する手段と、を備えたことを特徴とする。
【００３６】
また、（３）前記特定のプロセス番号の受信データに対して、復号処理の後にデータ誤りを検出したときに、送信側に対して、前記データの誤り検出結果を送信することなく、無応答とする再送制御手段を備えたことを特徴とする。
【００３７】
また、（４）予め伝送形式としてカテゴライズされた複数種類のカテゴリのうちの一つの伝送形式で送信された誤り検出訂正符号を含むデータを受信し、該データの誤り検出結果を送信側に送信し、該誤り検出結果が不良の場合に再送されるデータを受信し、先に受信した新規データと後に受信した再送データとを合成処理した後、復号処理を行う高速ダウンリンクパケットアクセス方式の受信装置において、受信データをバッファメモリの空き領域に一旦格納する手段と、該バッファメモリに格納された受信データを復号した後にデータの誤りチェックを行い、該誤りチェックの結果が誤り無しの場合、該受信データをバッファメモリから消去して該受信データの格納領域を空き状態にし、該誤りチェックの結果が誤り有りの場合、該受信データをバッファメモリに保持しておくバッファメモリ書き込み制御手段と、を備えたことを特徴とする。
【発明の効果】
【００３８】
本発明によれば、ＨＳＤＰＡ方式の規格に準拠した通信方式おいて、Ｖｉｒｔｕａｌ  ＩＲバッファサイズのみ異なる組み合わせのカテゴリのデータ伝送に際し、一部のプロセス番号の受信データに対して再送データとの合成処理を行わないようにすることにより、受信データの復元処理に使用されるＶｉｒｔｕａｌ  ＩＲバッファのメモリ容量を同一容量としたままで、１ランク特性の良いカテゴリで通信を行い、他のプロセス番号のデータに対してＶｉｒｔｕａｌ  ＩＲバッファのメモリ領域を増やすことなく、受信特性の良いカテゴリの通信を行うことが可能となる。
【００３９】
即ち、基地局（ＢＴＳ）でＶｉｒｔｕａｌ  ＩＲバッファの大きいサイズのカテゴリに対応した送信を行う場合も、移動機（ＭＳ）ではＶｉｒｔｕａｌ  ＩＲバッファの小さいサイズのカテゴリのままで、特性がほぼ同様の伝送を行なうことが可能となり、移動機（ＭＳ）におけるＶｉｒｔｕａｌ  ＩＲバッファのサイズ削減が可能となる。
【発明を実施するための最良の形態】
【００４０】
（１）本発明の第１の実施形態（使用するプロセスを制限する実施形態）として、カテゴリ６での伝送方法を例に挙げて説明する。カテゴリ６では、本来は１１２００ビットの６プロセス分のデータ（１１２００×６＝６７２００ビット）を使用するべきところを、本発明では、１１２００ビットのデータを５プロセス分のみの使用とする（１１２００×５＝５６０００ビット）。
【００４１】
移動機（ＭＳ）のＶｉｒｔｕａｌ  ＩＲバッファ（以下、ＩＲバッファという）のサイズはカテゴリ５サイズであっても、このＩＲバッファで受信される５プロセス分の各々のデータは、カテゴリ６で伝送しようとする１プロセス分のデータサイズ（１１２００ビット）にマッチするために、各プロセスの受信データの特性はカテゴリ６と同様である。
【００４２】
但し、上記の伝送を行う場合、基地局（ＢＴＳ）は、本来６プロセス分のデータを送信することができるところを、５プロセス分のデータのみを送信する構成とする必要がある。基地局（ＢＴＳ）において、使用するプロセスを制限するための処理フローを図１に示す。
【００４３】
同図に示すように、基地局（ＢＴＳ）は、移動機（ＭＳ）とどのカテゴリで通信するかについてネゴシエーションを行う（ステップ１−１）。該ネゴシエーションは、ＤＰＤＣＨ（Dedicated Physical Data Channel）を用いて行われる。
【００４４】
上記ネゴシエーションの後、移動機（ＭＳ）のＩＲバッファのサイズを判定し（ステップ１−２）、該サイズがカテゴリ５のサイズである場合、プロセス０〜４のデータのみを送信する（ステップ１−３）。一方、ＩＲバッファのサイズがカテゴリ６のサイズである場合、プロセス０〜５のデータを送信する（ステップ１−４）。
【００４５】
（２）本発明の第２の実施形態（ＩＲバッファサイズからはみ出すプロセスのデータは合成処理を行わない実施形態）についてカテゴリ６での伝送を例に挙げて以下に説明する。基地局（ＢＴＳ）は、カテゴリ６として１１２００ビットの６プロセス分のデータ（１１２００×６＝６７２００ビット）を送信する。
【００４６】
移動機（ＭＳ）では、カテゴリ５のＩＲバッファサイズのメモリしかなく、１１２００ビットの５プロセス分のデータに対してはＩＲバッファに保持し、再送時に通常通り再送データと合成することができるが、該ＩＲバッファからはみ出る１プロセス分のデータは、ＩＲバッファにデータを保持することができないために、このプロセスのデータに対しては合成処理を行わずに受信する。
【００４７】
但し、このはみ出るプロセスのデータを新規データとして受信した際に、巡回冗長検査（ＣＲＣ）符号チェックが不良（ＮＧ）で、否定応答（ＮＡＣＫ）送信した場合に、６伝送時間間隔（ＴＴＩ）後に、同一プロセスの再送データが受信される。
【００４８】
この再送データを受信した際に「再送データ」を示す情報を「新規データ」を示す情報と読み替えて新規データとして扱い、合成処理を行わないで復号処理を実施する。こうすることにより、上記第１の実施形態のようは基地局（ＢＴＳ）でのプロセス数制限のための構成は不要となる。
【００４９】
また、はみ出るプロセスのデータが再送されてくる場合、通常は、新規データ送信時は組織ビット優先のデータとして送信されてくるものが、再送データ送信時は組織ビット非優先のデータで送信されてくるために、巡回冗長検査（ＣＲＣ）符号チェックが不良（ＮＧ）になる確率が高くなる。
【００５０】
そこで、ＩＲバッファからはみ出るプロセスのデータを受信し、巡回冗長検査（ＣＲＣ）符号チェック不良（ＮＧ）の場合、否定応答（ＮＡＣＫ）を送信することなく、何も応答を返さず無応答（ＤＴＸ送信）とすることにより、基地局（ＢＴＳ）では移動機（ＭＳ）でＨＳ−ＳＣＣＨの受信における自局判定に失敗したと認識して、新規データと全く同一のデータ（組織ビット優先のレートマッチングパラメータ）を送信してくるために、移動機（ＭＳ）では、巡回冗長検査（ＣＲＣ）符号チェックが良（ＯＫ）となる確率が高くなる。
【００５１】
上記の処理のフローを図２に示す。同図に示すように、受信データのプロセス番号を判別し（ステップ２−１）、プロセス番号が５の場合、受信データをＩＲバッファに保持せず、従って合成処理を行わないよう、ＩＲバッファ書き込み制御を行って次の処理に移る（ステップ２−２）。
【００５２】
次に、受信データが再送データか否かを判定し（ステップ２−３）、再送データである場合は「再送データ」を「新規データ」と読み替え（ステップ２−４）、復号処理を行う（ステップ２−５）。受信データが新規データである場合はそのまま復号処理を行う（ステップ２−５）。
【００５３】
上記復号処理の結果、巡回冗長検査（ＣＲＣ）符号チェックが不良（ＮＧ）であるか否かを判定し（ステップ２−６）、不良（ＮＧ）である場合は、基地局に対してＤＴＸ送信（無応答）とする送信制御を行う（ステップ２−７）。また、上記ステップ２−１において受信データのプロセス番号が５以外であった場合は、該受信データをＩＲバッファに保持し（ステップ２−８）、再送データとの合成処理の対象とし、以降は通常通りの復号処理を行う（ステップ２−９）。
【００５４】
次に本発明の第３の実施形態（ＩＲバッファサイズからはみ出すプロセスを決め打ちしない実施形態）について、カテゴリ６の伝送を例に挙げて以下に説明する。前述のようにはみ出るプロセス番号を例えばプロセス５というように決め打ちしておき、このプロセス番号のデータは合成しないよう制御する手法（プロセス番号固定）とは別に、はみ出るプロセス番号を決めうちせず、ＩＲバッファサイズがカテゴリ５の移動機（ＭＳ）では、５個のプロセス数までの受信データをＩＲバッファに保持し、該保持した受信データのうち、その巡回冗長検査（ＣＲＣ）符号チェック結果が不良（ＮＧ）となった受信データに対して再送データと合成するという、プロセス番号可変のＩＲバッファ書き込み制御を行う手法としたものが第３の実施形態である。
【００５５】
図３に本発明の第３の実施形態の処理フローを示す。同図に示すように、受信データをＩＲバッファに一旦保持し（（ステップップ３−１）、該保持した受信データに対して復号化処理を行い（ステップ３−２）、該復号化データの巡回冗長検査（ＣＲＣ）符号チェック結果が不良（ＮＧ）かどうかを判定し（ステップ３−３）、該チェック結果が良（ＯＫ）の場合、当該プロセス番号の受信データをＩＲバッファから消去し、該受信データが保持されていたＩＲバッファのメモリ領域を空き状態にする（ステップ３−４）。一方、ステップ３−３でのチェック結果が不良（ＮＧ）である場合、当該プロセス番号の受信データをＩＲバッファに保持したままとし、該受信データを再送データと合成処理する（ステップ３−５）。
【００５６】
図４に本発明の第２及び第３の実施形態によるＩＲバッファへの受信データの書き込みの具体例を示す。同図の（ａ）は、プロセス番号順に到来するプロセス番号０〜５の各データの巡回冗長検査（ＣＲＣ）符号チェック結果の例を示し、１巡目ではプロセス３，５の巡回冗長検査（ＣＲＣ）符号チェック結果が良（ＯＫ）で他のプロセス０，１，２，４の巡回冗長検査（ＣＲＣ）符号チェック結果が不良（ＮＧ）であり、２巡目ではプロセス２，３，４の巡回冗長検査（ＣＲＣ）符号チェック結果が良（ＯＫ）で他のプロセス０，１，５の巡回冗長検査（ＣＲＣ）符号チェック結果が不良（ＮＧ）であり、３巡目ではプロセス０の巡回冗長検査（ＣＲＣ）符号チェック結果が良（ＯＫ）で他のプロセス１，２，３，４，５の巡回冗長検査（ＣＲＣ）符号チェック結果が不良（ＮＧ）である例を示している。
【００５７】
図４の（ｂ）は、ＩＲバッファに書き込む受信データのプロセス番号を固定した実施形態２の場合の例を示し、ＩＲバッファのアドレス０〜４の５個の領域に、それぞれプロセス０〜４の受信データを保持し、プロセス５の受信データは保持しない。この場合、１巡目の受信データに対して、巡回冗長検査（ＣＲＣ）符号チェック結果が不良（ＮＧ）となったプロセス０，１，２，４の受信データ全てに対して合成処理を行うことができる。
【００５８】
しかし、２巡目の受信データに対して、巡回冗長検査（ＣＲＣ）符号チェック結果が不良（ＮＧ）となったプロセス０，１の受信データに対して合成処理を行うことができるが、プロセス５の受信データに対して合成処理を行うことができない。また、３巡目の受信データに対して、巡回冗長検査（ＣＲＣ）符号チェック結果が不良（ＮＧ）となったプロセス１〜４の受信データに対して合成処理を行うことができるが、プロセス５の受信データに対して合成処理を行うことができない。
【００５９】
即ち、プロセス５の受信データを固定的に保持しないこととした場合、プロセス５の受信データは、巡回冗長検査（ＣＲＣ）符号チェックが不良（ＮＧ）時に本来合成するべきところであるが、合成することができないため特性劣化につながることとなる。
【００６０】
図４の（ｃ）は、ＩＲバッファサイズからはみ出すプロセスを決め打ちせずに、プロセス番号可変のＩＲバッファ書き込みを行う場合の例を示し、図３（ａ）の受信データの場合、１巡目の受信データに対して、巡回冗長検査（ＣＲＣ）符号チェック結果が不良（ＮＧ）となったプロセス０，１，２，４の受信データ全てを保持し、それらに対して合成処理を行うことができる。
【００６１】
また、２巡目の受信データに対して、巡回冗長検査（ＣＲＣ）符号チェック結果が不良（ＮＧ）となったプロセス０，１，５の全ての受信データを保持し、合成処理を行うことができる。また、３巡目の受信データに対して、巡回冗長検査（ＣＲＣ）符号チェック結果が不良（ＮＧ）となったプロセス１〜４の受信データ全てを保持し、合成処理を行うことができる。
【００６２】
即ち、プロセス番号可変の書き込み制御の場合は、巡回冗長検査（ＣＲＣ）符号チェック結果不良（ＮＧ）となった合成すべきプロセス番号の受信データを、ＩＲバッファの空きメモリ領域に、順に（アドレス０，１，２，３，４という順に）詰めて格納していくので、空きメモリ領域が存在しなくなる極めて稀な場合を除いて、合成することができないプロセスは存在しなく、特性劣化はない。
【００６３】
図５に上記第２及び第３の実施形態を適用した移動機（ＭＳ）におけるＩＲバッファのメモリ制御の機能部を示す。同図に示すようにＩＲバッファ５−２は、第２レートデマッチング部５−３から入力される受信データに対して、合成処理の対象か否かを判定し、スイッチ部５−２２により、合成処理の対象の受信データをバッファメモリ５−２１に送り、合成処理の対象でない受信データは、バッファリングせずに次段の第１レートデマッチング部５−１に受信データ送出するパスに送り出す。
【００６４】
受信データに対して合成処理を行なうか否かの判定は、バッファメモリ・合成処理制御部５−２３により行い、該バッファメモリ・合成処理制御部５−２３は、上記スイッチ部の５−２２の切り替え制御、及びバッファメモリ５−２１の受信データ書き込み・消去制御を行う。そして、前述したように第２及び第３の実施形態を実現するために、受信データのプロセッサ番号判定部、合成処理制御部、「再送データ」→「新規データ」読み替え部、巡回冗長検査（ＣＲＣ）符号チェック結果判定部、ＤＴＸ送信制御部、及びバッファメモリ書き込み・消去制御部を備える。
【図面の簡単な説明】
【００６５】
【図１】本発明の第１の実施形態（使用するプロセスを制限する形態）の処理フローを示す図である。
【図２】本発明の第２の実施形態（ＩＲバッファからはみ出すプロセスのデータは合成しない形態）の処理フローを示す図である。
【図３】本発明の第３の実施形態（ＩＲバッファサイズからはみ出すプロセスを決め打ちしない形態）の処理フローを示す図である。
【図４】発明の第２及び第３の実施形態によるＩＲバッファへの受信データの書き込みの具体例を示す図である。
【図５】本発明の第２及び第３の実施形態におけるＩＲバッファのメモリ制御の機能部を示す図である。
【図６】ＨＳＤＰＡ通信システムの送信部及び受信部を示す図である。
【図７】プロセス番号と合成可能／不可の期間との関係を示す図である。
【図８】ＨＳＤＰＡ方式のダウンリンク及びアップリンクで送受されるデータを示す図である。
【図９】ＨＳＤＰＡ方式における伝送形式のカテゴリを示す図である。
【図１０】レートマッチング／デマッチングによるデータのビット長の変化の例を示す図である。
【図１１】レートデマッチングを行う構成の機能ブロックを示す図である。
【図１２】新規データ送信時及び再送データ送信時の送信データを示す図である。
【符号の説明】
【００６６】
５−１  第１レートデマッチング部
５−２  Ｖｉｒｔｕａｌ  ＩＲバッファ
５−３  第２レートデマッチング部
５−２１  バッファメモリ
５−２２  スイッチ部
５−２３  バッファメモリ・合成処理制御部
６−１  ＣＲＣ付加部
６−２  ターボ符号部
６−３  第１レートマッチング部
６−４  Ｖｉｒｔｕａｌ  ＩＲバッファ
６−５  第２レートマッチング部
６−６  物理チャネルマッピング部
６−７  物理チャネル分離部
６−８  第２レートデマッチング部
６−９  Ｖｉｒｔｕａｌ  ＩＲバッファ
６−１０  第１レートデマッチング部
６−１１  ターボ復号部
６−１２  ＣＲＣチェック部
【図１】
2007124485.tif 000003
【図２】
2007124485.tif 000004
【図３】
2007124485.tif 000005
【図４】
2007124485.tif 000006
【図５】
2007124485.tif 000007
【図６】
2007124485.tif 000008
【図７】
2007124485.tif 000009
【図８】
2007124485.tif 000010
【図９】
2007124485.tif 000011
【図１０】
2007124485.tif 000012
【図１１】
2007124485.tif 000013
【図１２】
2007124485.tif 000014